(57)【要約】  インスリン注入ポンプによって配給される最適なインスリンは、個別化されたグルコース調節を目的とした強化学習アルゴリズムを使用することによって決定される。アルゴリズムは、患者の測定されたグルコースプロファイルに基づいて、各患者について毎日のベーサルインスリンレートおよびインスリン対炭水化物比を最適化する。提案されたアルゴリズムは、毎日のグルコースプロファイルに取り込まれたリアルタイムの患者特有の特徴を学習し、個別のインスリン治療を提供することができる。自動および個別化された調整方法は、パフォーマンスアルゴリズムの最適化に貢献する。
2019525367.tif 000002
【特許請求の範囲】
【請求項１】
患者のためのインスリン療法を決定するための方法であって、
・適応型コントローラを動作させるために強化学習アルゴリズムを使用し、この強化学習アルゴリズムが、
ａ.インスリン注入レートおよびインスリン対炭水化物比の少なくとも一方を含むインスリン制御ポリシー（Ｓ）を評価する評価主体、および
ｂ.インスリン制御ポリシー（Ｓ）を改善する行動主体を含み、
・所定の期間（ｋ−１）にわたって所定のインスリン制御ポリシー（Ｓｋ−１）を適用し、
・前記所定の期間（ｋ−１）にわたって患者の血糖データを収集し、
・収集された前記血糖データに基づいてグルコース調節システムの状態を決定し、
・前記グルコース調整システムの状態に基づいて、評価主体によって所定のインスリン制御ポリシー（Ｓｋ−１）を評価し、
・決定された制御アクションに基づいて、行動主体によりインスリン制御ポリシー（Ｓ）を更新し、更新されたインスリン制御ポリシー（Ｓｋ）は、その後の期間（ｋ）にわたって適用されることが意図され、
決定された制御アクションは、
−グルコース調節システムの状態と決定されたポリシーパラメータベクトルとの線形結合として定義される線形決定論的制御アクション（Ｐａ）、
−以前のインスリン制御ポリシーの控えめな提案に対応し、アルゴリズムによるインスリン制御ポリシー（Ｓ）の極端な変更に対する安全モジュールとして、および／または更新の方向のガイダンスとしての役割を果たす監視制御アクション（Ｐｓ）、
−グルコース調節システムの状態の探索スペースを広げ、および／またはより速い収束をサポートする探索的制御アクション（Ｐｅ）、のうち少なくとも１つの制御アクションを考慮に入れる方法。
【請求項２】
前記決定された制御アクションが、前記所定の期間（ｋ−１）から次の期間（ｋ）までの前記インスリン制御ポリシー（Ｓ）の変化率として定義される、請求項１に記載の方法。
【請求項３】
前記決定された制御アクションが、線形決定論的制御アクション（Ｐａ）、監視制御アクション（Ｐｓ）および探索的制御アクション（Ｐｅ）のうちの少なくとも２つを考慮に入れる、請求項１に記載の方法。
【請求項４】
.
前記決定された制御アクションが、線形決定論的制御アクション（Ｐａ）および監視制御アクション（Ｐｓ）を考慮に入れた数学的モデルによって決定される総合決定論的制御アクション（Ｐｄ）を考慮に入れる、請求項１に記載の方法。
【請求項５】
前記探索的制御アクション（Ｐｅ）が、少なくとも総合決定論的制御アクション（Ｐｄ）を考慮に入れた数学的モデルによって決定される、請求項４に記載の方法。
【請求項６】
前記評価主体は、前記所定期間（ｋ−１）中に発生した高血糖および低血糖状態に関連する２つの特徴によって示されるように、前記グルコース調節システムの状態を評価する、請求項１〜５のいずれか１項に記載の方法。
【請求項７】
前記評価主体は、前記所定期間（ｋ−１）中に発生した１日の平均低血糖および高血糖の誤差によって示されるように、前記グルコース調節システムの状態を評価する、請求項１〜６のいずれか１項に方法。
【請求項８】
.
前記評価主体は、前記所定期間における前記グルコース調節システムの状態のローカルコストをさらに計算する、請求項１〜７のいずれか１項に記載の方法。
【請求項９】
前記行動主体は、状態当たりの平均予想コストを最小化するように構成される、請求項８に記載の方法。
【請求項１０】
前記評価ステップが各期間の終わりに実行される、請求項１〜９のいずれか１項に記載の方法。
【請求項１１】
前記ポリシーパラメータベクトルは、総合決定論的制御アクションＰｄと、探索的制御アクションＰｅとの間の差に依存する、請求項４または５に記載の方法。
【請求項１２】
前記ポリシーパラメータベクトルが、前記決定された期間の終わりに更新される、請求項１〜１１のいずれか１項に記載の方法。
【請求項１３】
前記初期インスリン制御ポリシーが、患者の医師および／またはコンピュータシミュレータによって最適化された患者の個々の値を考慮することによって決定される、請求項１〜１２のいずれか１項に記載の方法。
【請求項１４】
前記ポリシーパラメータベクトルの値または初期値が、インスリンからグルコースへの移行エントロピー計算を使用することによって決定される、請求項１〜１３のいずれか１項に記載の方法。
【請求項１５】
インスリンからグルコースへの移行エントロピーが、１から７日の間、好ましくは４日の期間にわたる血糖データおよびインスリン配給データに基づいて推定される、請求項１４に記載の方法。
【請求項１６】
初期インスリン制御ポリシーおよび／またはポリシーパラメータベクトルの初期値が決定されて患者に適合される初期化段階をさらに含む、請求項１〜１５のいずれか１項に記載の方法。
【請求項１７】
.
前記初期化段階の期間が、１〜７日の間、好ましくは４日である、請求項１６に記載の方法。
【請求項１８】
前記所定の期間および／または後続の期間の持続時間が、１時間〜３６時間の間、優先的には実質的に２４時間に等しい、請求項１〜１７のいずれか１項に記載の方法。
【発明の詳細な説明】
【背景技術】
【０００１】
本発明は、インスリンの管理分野および対応する人工膵臓に関する。
【従来の技術】
【０００２】
１型糖尿病（Ｔ１Ｄ）は、インスリンの欠如または機能不全による、制御不能な血糖値によって特徴付けられる代謝性疾患である。人工膵臓（ＡＰ）システムは、生理学的膵臓の機能をシミュレートし、外部の自動グルコース調節システムとして機能することを目的としている。APは、連続グルコースモニタ（CGM）、連続皮下インスリン注入（CSII）ポンプ、および2つのデバイス間のループを閉じてインスリン注入速度を最適化する制御アルゴリズムを組み合わせたものである。
【０００３】
ＡＰのための有効な制御アルゴリズムの設計における重要な課題は、皮下グルコース測定および皮下インスリン注入の両方のための皮下経路の使用である。これにより、皮下グルコース測定では最大30分、インスリン吸収では最大20分の遅延が発生する。したがって、ほぼ1時間の合計遅延は、監視と介入の両方をリアルタイムで制限する。さらに、グルコースは遺伝的、生活様式および環境など複数の要因によって影響を受ける。センサ技術の向上により、より多くの情報を制御アルゴリズム（例えば、より正確なグルコース測定および身体活動レベル）に提供することができる。ただし、不確実性のレベルは非常に高いままである。最後に、おろそかにできないが、最も重要な課題の1つは、個人化されたインスリン治療を必要とする高い患者間および患者内の変動性から生じる。
【０００４】
ハードウェアの改善とともに、APの課題は、高度なアルゴリズム戦略の開発によって徐々に解決されている。最も臨床的に研究されている戦略は、比例積分微分（ＰＩＤ）、モデル予測制御器（ＭＰＣ）およびファジィ論理（例えば、MD-Logic）アルゴリズムである。最近の開発は、インスリンとグルカゴンの両方を使用する双ホルモンAPである。臨床試験の数が増えていることで、広範囲の入院中、そして最近では、管理された病院環境外でのAPの実現可能性の在宅評価が行われている。ほとんどの研究は、誤った食事摂取およびインスリン感受性（ＳＩ）変化（例えば身体活動）などの不確実な条件下での患者群のアルゴリズム的評価に限定されている。
【０００５】
これらの有望な結果にもかかわらず、現在提案されている制御戦略はどれも、本質的に不確実性と個別化を処理するように設計されていない。PIDは線形システム用に設計されており、MPCは不確実性が存在する場合に最適とは言えない開ループ最適化問題を解決する。MD-Logicは設計者の経験に直接従うルールベースのアプローチである。患者の多様性の観点から、アルゴリズムは適応コンポーネントで強化されている。これは、体重、補正係数、SIなどの1つまたは複数の患者固有特性を持つアルゴリズムパラメータに含まれる又は関連するモデルの個別化識別に主として基づいている。それにもかかわらず、最先端のAPアルゴリズムの成功した性能は、AP開発が実行可能かつ現実的であり、強く個人化されたインスリン治療に向けたより高度なアルゴリズム研究の新時代への道を開くものである。
【０００６】
強化学習（ＲＬ）は、機械学習（ＭＬ）の一分野であり、データから学習し、不確実な環境内で最適化を実行することができるアルゴリズムを包含する集中的に活発な研究分野である。ＲＬの分野は、教師あり学習と教師なし学習との間にあり、エージェントがその環境との継続的な相互作用によって経時的に所与のタスクでそのパフォーマンスを改善しようと試みる問題を含む。この作業の間、入出力データは明示的には提供されず、パフォーマンスの向上は、エージェントの経路上の長期的な予想コストの概念を最小限に抑えることと解釈される。RLは1980年代初頭に独立した分野として発展し始め、動物心理学と試行錯誤による学習のアイデアに触発された。RLは、ベルマンの「次元の呪い」が解析的な解決策を制限していた動的プログラミング問題を解くための非常に効率的な方法として、最適制御の分野で急速に採用された。RLでは、エージェントは、アクションuを選択し、現在の状態xから次の状態に移動することに基づいて、特定の制御ポリシーに従う。
【０００７】
各状態遷移の後に、いくつかの事前定義された基準に基づいてこの遷移の品質を表すローカルコストcが続く。エージェントの目的は、その経路全体で予想される総コストを最小限に抑えるような最適な制御ポリシーを見つけることである。ＲＬは、理論的背景が広く研究されている分野であり、現代の計算能力の進歩により、現在実用化に向かって進んでいる。この見解では、現実の問題における応用は、RLの現在の傾向の1つとして強調されている。医学では、RLは主に予後、分類および診断について、ビッグ/ヘテロジニアスデータ収集、融合および分析によって調査されており、治療研究に関する報告は少ない。最近認識され報告されているように、ＭＬおよびＲＬの利点は、ＡＰの課題の解決への有望な道を示している。アルゴリズムを評価するために、決定論的グルコース調節モデルを使用したが、患者の変動性をシミュレートするために不確実性を増した。このプロセスは実際の患者の変動性を表すものではないかもしれず、示された適応能力の強度を制限する。
【０００８】
医学におけるＲＬの使用を複雑にする１つの要因は、調整または初期化される必要がある多数の一定かつ適応的なパラメータである。これらのパラメータに最適な値を選択することは困難な作業であり、通常は問題固有の特性に基づいて手動で実行される。しかしながら、個人間のばらつきに直面して、この手動プロセスは信頼できないかまたは実行不可能でさえあり得る。RLに対するもう1つの批判は、学習プロセスと最終的な解決策（ブラックボックス）の両方を一般化または定性的に説明することが難しいことである。
【０００９】
本アプローチでは、RLベースのアルゴリズムがT1Dにおける個別化インスリン注入およびグルコース調節のために提案されている。モデルフリーのActor-Critic（AC）アルゴリズムが開発され、大規模な患者群内および変動する環境の不確実性の範囲内で、正常血糖を維持するその能力についてコンピュータを用いて評価されている。このアプローチの範囲は2つある。
i）個人化されたAPとの関連でRLの適用性を調査すること。
ii）一般化して医療経験に直接翻訳することができるAC設計を達成すること。
【００１０】
前述した調整の制約を克服するために、ＡＣアルゴリズムは、インスリンからグルコース信号への情報伝達（ＩＴ）の推定に基づいて、自動かつ個別化された調整のための新規な方法で強化される。ACアルゴリズムの初期段階での作業は、予備的な評価結果とともに既に発表されている。
・Daskalaki E、Diem P、Mougiakakou S. 1型糖尿病におけるブドウ糖調節のためのActor-Criticベースのコントローラ、計算方法プログラム 2013; 109(2): 116-25.
・Daskalaki E、Diem P、Mougiakakou S。グルコース調節のための強化学習制御アルゴリズムの個別調整、第35回IEEE Eng Med Biol Soc Conferenceの議事録、 2013年7月3〜7日。大阪、日本。
【００１１】
両方の論文の全開示は、参照により本明細書に組み込まれる。本発明では、ＡＣコントローラのための新規な設計が紹介されている。具体的には：
・アルゴリズムの探索スペースを増やすために、制御ポリシーが探索的ポリシーによって強化された。
・アルゴリズムの安全性を高めるために監視制御ポリシーが組み込まれた。
・ACコントローラは、医療経験から引き出された生理学的パラメータ及び／又はアクションに直接リンクされている。
・自動調整方法が拡張され、患者固有の特性に関連付けられた。
【００１２】
要約すると、提案された新規な制御方式は以下の課題を満たすことができる。
・リアルタイム適応学習アルゴリズムを使用した、患者間/患者内のばらつきとインスリン治療の個別設定
・不確実性下での最適化に適した制御アルゴリズムの使用に対する堅牢性
・以下による、病院でそして家で練習への容易な移行
−患者間のばらつきが大きいことを相殺する、限られた先験的な仮定に基づくこと、
−生理学的パラメータに基づいた初期化
【発明の概要】
【００１３】
本発明は、最適な治療法、例えば注入ポンプなどのインスリン配給装置によって配給される最適なインスリンを推定する方法を提供する。治療は、個人化されたグルコース調節を目的とした強化学習アルゴリズムを使用することによって決定されてもよい。アルゴリズムは、（例えば）彼／彼女の測定されたグルコースプロファイルに基づいて、各患者について１日のベーサル（基礎）インスリンレートおよびインスリン対炭水化物比を最適化することができる。そのようなアルゴリズムは、毎日のグルコースプロファイルに取り込まれたリアルタイムの患者特有の特徴を学習し、個別化されたインスリン治療を提供することができる。自動および個別化された調整方法は、アルゴリズムの性能の最適化に貢献する。アルゴリズムの設計が、医師またはエンジニアのいずれかを含むいかなる介入または中間段階もなく、患者によるその直接使用を可能にし得ることは注目に値する。
【００１４】
例えば、最初の４稼働日の間に、システムは、彼／彼女の医師によって定義されたように患者の標準治療を提供し、そして並行して、彼／彼女の連続グルコースモニタおよびインスリンポンプデータを収集することができる。この期間の終わりに、アルゴリズムは自動的にいくつかのパラメータを初期化する。順番に、アルゴリズムは、毎日のベーサルインスリンレートおよびインスリン対炭水化物比の適応を用いて、インスリン治療の個別化を継続することができる。優先的には、関連するすべての計算に対して、アルゴリズムは最小限の計算時間にて、モバイル／ポータブルデバイス上で円滑に実行することができる。
【００１５】
本発明の一態様は、患者に対するインスリン療法を決定するための方法である。この方法は、以下のステップを含むことができる。
・適応型コントローラを動作させるために強化学習アルゴリズムを使用すること。強化学習アルゴリズムは、以下を含む。
a）インスリン注入レートおよびインスリン対炭水化物比の少なくとも一方を含むインスリン制御ポリシー（Ｓ）を評価する評価主体（Ｃｒｉｔｉｃ）、
ｂ）インスリン管理方針を改善する行動主体（Ａｃｔｏｒ）、
・所定の期間（ｋ−１）にわたって所定のインスリン制御ポリシー（Ｓｋ−１）を適用すること。
・所定の期間（ｋ−１）にわたって、患者の血糖データまたはプロファイルを収集すること。
・例えば収集された血糖データに基づいて、グルコース調節システムの状態を決定すること。
・例えばグルコース調節システムの状態に基づいて、評価主体により所定のインスリン制御ポリシー（Ｓｋ−１）を評価すること。
・例えば決定された制御アクションに基づいて、行動主体によりインスリン制御ポリシー（Ｓ）を更新すること。ここで、更新されたインスリン制御ポリシー（Ｓｋ）は、次の期間（ｋ）にわたって適用されることを意図している。
【００１６】
決定された制御アクションは、以下の制御アクションのうちの少なくとも１つを考慮に入れる。
−線形決定論的制御アクション（Ｐａ）
−監視制御アクション（Ｐｓ）
−探索的制御アクション（Ｐｅ）
【００１７】
線形決定論的制御アクション（Ｐａ）は、グルコース調節システムの状態と決定されたポリシーパラメータベクトルとの線形結合として定義することができる。監視制御アクション（Ｐｓ）は、以前のインスリン制御ポリシーの控えめな提案に対応し得る。それは、アルゴリズムによるインスリン制御ポリシー（Ｓ）の極端な変化に対する安全モジュールとして、および／または更新の方向のガイダンスとして機能することができる。探索的制御アクション（Ｐｅ）は、グルコース調節システムの状態の探索スペースを広げることを可能にし、および／またはより迅速な収束をサポートする。
【００１８】
好ましくは、評価ステップは各期間の終わりに実行され、ポリシーパラメータベクトルは決定された期間の終わりに更新されてもよい。さらに、所定の期間および／またはその後に続く持続時間は、１時間から３６時間の間、優先的には実質的に２４時間に含まれてもよい。
【００１９】
決定された制御アクションは、所定の期間（ｋ−１）から次の期間（ｋ）までのインスリン制御ポリシー（Ｓ）の変化率として定義され得る。
【００２０】
決定された制御アクションは、線形決定論的制御アクション（Ｐａ）、監視制御アクション（Ｐｓ）および探索的制御アクション（Ｐｅ）のうちの少なくとも２つを考慮に入れることができる。
【００２１】
決定された制御アクションは、線形決定論的制御アクション（Ｐａ）および監視制御アクション（Ｐｓ）を考慮に入れる数学的モデルによって決定される総合決定論的制御アクション（Ｐｄ）を考慮に入れることができる。優先的には、探索的制御アクション（Ｐｅ）は、少なくとも総合決定論的制御アクション（Ｐｄ）を考慮に入れた数学的モデルによって決定される。ポリシーパラメータベクトルは、総合決定論的制御アクション（Ｐｄ）と探索的制御アクション（Ｐｅ）との間の差に依存し得る。
【００２２】
評価主体は、所定の期間（ｋ−１）に発生した高血糖および低血糖状態に関する２つの特徴によって説明されるように、グルコース調節システムの状態を評価することができる。さらに、評価主体は、所定の期間（ｋ−１）中に発生した１日の平均低血糖および高血糖の誤差によって説明されるように、グルコース調節システムの状態を評価することができる。
【００２３】
優先的には、評価主体は、所定期間におけるグルコース調節システムの状態のローカルコストを計算する。そして、行動主体は、状態ごとの平均予想コストを最小化するように構成されてもよい。
【００２４】
初期インスリン制御ポリシーは、彼／彼女の医師および／またはコンピュータシミュレータによって最適化された患者の個々の値を考慮に入れることによって決定されてもよい。ポリシーパラメータベクトルの値または初期値は、インスリンからグルコースへの移行エントロピー計算を使用することによって決定され得る。さらに、インスリンからグルコースへの移行エントロピーは、１日から７日の間、優先的には４日の期間にわたる血糖データおよびインスリン配給データに基づいて推定することができる。
【００２５】
この方法は、初期インスリン制御ポリシーおよび／またはポリシーパラメータベクトルの初期値を決定して患者に適合させることができる初期化段階を含むことができる。そして、初期化段階の期間は、１日から７日の間、優先的には４日で構成することができる。
【図面の簡単な説明】
【００２６】
本発明は、好ましい実施形態の説明および図面を参照することで、よりよく理解されるであろう。
【図１】ポンプまたはパッチポンプのための制御システムが、データをリアルタイムで送信するために連続グルコースモニタおよびインスリンポンプの両方に無線で接続された携帯機器に組み込まれているシステム、人工膵臓を示す図である。
【図２】図１のAC制御システムの一般的な実施形態を示すブロック図であり、従来技術による閉ループシステムを実施するための図１の装置の概略図である。
【図３】図１のAC制御システムの入力／出力を示すブロック図であり、本発明による閉ループシステムを実施するための図１の装置の概略図である。
【図４】図１のAC制御システムの入力／出力を示すブロック図であり、本発明による閉ループシステムを実施するための図１の装置の概略図である。
【図５】本発明によるAC制御システムを調整するために従うべき手順の例を示す図である。
【発明を実施するための形態】
【００２７】
好ましい実施形態の詳細な説明
本発明は独立請求項に記載され特徴付けられているが、従属請求項は本発明の他の特徴を説明している。本出願は、2016年7月15日にベルン大学の名義で出願されたPCT/IB2016/054242の優先権の利益を主張するものであり、その全開示は参照により本明細書に組み込まれる。
【００２８】
本明細書中で使用される全ての科学技術用語は、他に特定されない限り、当該分野で一般的に使用される意味を有する。本明細書で提供される定義は、本明細書で頻繁に使用される特定の用語の理解を容易にするためのものであり、本開示の範囲を限定することを意味するものではない。
【００２９】
本明細書および添付の特許請求の範囲で使用されるとき、単数形「ａ」、「ａｎ」、および「ｔｈｅ」は、その内容が明確に指示されない限り、複数の指示対象を有する実施形態を包含する。
【００３０】
本明細書および添付の特許請求の範囲で使用されるとき、「上」、「下」、「左」、「右」、「上方」、「下方」、および他の方向または向きなどの本明細書で言及される任意の方向は、図面を参照して明確にするためのものであり、実際の装置またはシステムを限定することを意図しない。本明細書に記載の装置およびシステムは、いくつかの方向および向きで使用することができる。
【００３１】
本明細書で使用されるとき、「有する」、「有している」、「含む」、「含んでいる」、「包含する」、「包含している」などは、それらの制限されない意味で使用され、一般に「含むが、それに限定されない」を意味する。
【００３２】
本明細書および添付の特許請求の範囲で使用されているように、「または」という用語は、その内容が明確に指示されていない限り、一般に「および／または」を含む意味で使用される。図１に示すように、連続グルコースモニタとインスリン注入ポンプとの間のループを閉じるための行動主体―評価主体（AC）制御システムは、携帯／モバイル機器およびスマートフォンのうちのいずれか１つで実行されてもよく、以下の段落に提示される。
【００３３】
［行動主体―評価主体アルゴリズム（ＡＣアルゴリズム）］
ＡＣアルゴリズムは、ＲＬのクラスに属し、図２に示す２つの補完的部分へのエージェントの分離によって特徴付けられる。
評価主体：制御ポリシーを評価することを担当する。
行動主体：制御ポリシーを改善することを担当する。
RLファミリー内では、ACアルゴリズムは、より優れた収束特性を持つという点で、評価主体専用または行動主体専用の方法とは異なる。さらに、それらは連続時間最適化を可能にするために、低分散勾配およびパラメータ化方針を本質的に推定するので、それらの計算コストはより低い。
【００３４】
AC学習では、エージェントは特定の制御ポリシーに従い、不確実な環境内で状態間の遷移を実行する。図２は、ＡＣアルゴリズムによって制御されるシステムの概略図を示す。
【００３５】
確率的システムの場合、制御ポリシーは、ｘの現在の状態が与えられたときに、そこから制御アクションｕが撤回される条件付き確率関数μ(u│x、θ)である。エージェントの目的は、その経路全体で予想されるコストを最小限に抑えるために、最適な制御ポリシーを見つけることである。状態ｘと状態ｙとの間の遷移は、選択された制御アクションｕに依存し、遷移確率分布p(y│x、u)に従う。ローカルコストc(x、u)は、各状態とアクションに関連付けられている。優先的には、平均報償設定において、ＡＣアルゴリズムの目的は、全状態にわたる状態当たりの平均予想コストを最小にするために最適な制御ポリシーを見つけることである。これは、次のように定義できる。
【００３６】
【数１】
2019525367.tif 000003
ここでηθ(x、u)は、マルコフ連鎖｛Xk、Uk｝の定常確率である。
【００３７】
（評価主体）
評価主体のエージェントは、関連する予想コストの概算に基づいて現在の制御ポリシーを評価する責任がある。この目的のために使用される最も強力な方法の１つは、時間差（ＴＤ）学習であり、これは、状態ｘから始まるプロセスの総予測コストが、最初の行動ｕとして取り、それぞれ、値関数Ve（x）とアクション値関数Qθ(x,u)を通して定義されるポリシーμ(u│x、θ)に従うものである。
【００３８】
【数２】
2019525367.tif 000004
【数３】
2019525367.tif 000005
【００３９】
値関数およびアクション値関数は以下の式を満たすことができる。
【００４０】
【数４】
2019525367.tif 000006
【数５】
2019525367.tif 000007
【００４１】
与えられた観測状態に対して、ｘ＝ｘｋ−１、ｙ＝ｘｋ、およびアクションｕ＝ｕｋ−１であり、ベルマンの式（5）は次のようになりうる。
【００４２】
【数６】
2019525367.tif 000008
【００４３】
ベルマンの次元呪いは、高次元空間における式（6）の解析解を制限し、近似法の使用を必要とする。ＴＤフレームワークでは、値関数V(x)は、ｗ∈RKであるときに、パラメータ化された関数Vw(x)によって近似され得る。パラメータ化関数に対して最も一般的に使用されるアーキテクチャは、次のように定義される線形近似であり得る。
【００４４】
【数７】
2019525367.tif 000009
ここで、gθ(x)は、次元Kの基底関数のベクトルである。符号ｗＴは転置を表す。値関数の近似は、次の推定値
【数８】
2019525367.tif 000010
からの近似値関数
【数９】
2019525367.tif 000011
の偏差として、定義されるＴＤ誤差ｄの推定を介して実行されてもよい。
【００４５】
【数１０】
2019525367.tif 000012
【００４６】
ＴＤ誤差に基づいて、パラメータベクトルｗは、以下の式に従って更新されてもよい。
【００４７】
【数１１】
2019525367.tif 000013
ここで、αｋは正の増加しない学習率シーケンスであり、０＜λ＜１は定数で、ｚｋは次のように定義された適格性ベクトルである。
【数１２】
2019525367.tif 000014
そして、以下の公式に従って更新されてもよい。
【数１３】
2019525367.tif 000015
【００４８】
アクション値関数Qθ(x、u)の近似についても、同様のプロセスに従うことができる。
【数１４】
2019525367.tif 000016
φθ（x、u）は基底関数のベクトル、ｒ∈RLはそれぞれのパラメータベクトルである。
基底関数の一般的に使用される選択は、φθ(x、u)＝Ψθ(x、u)であり、ここでΨθ(x、u)＝∇θlnμ(u│x、θ)が制御ポリシーの尤度比導関数である。
【００４９】
（行動主体）
行動主体の目的は、
【数１５】
2019525367.tif 000017
状態あたりの平均予想コストの最小化に向けて、制御ポリシーを時間にわたって最適化することである。ポリシーパラメータベクトルθに関して勾配
【数１６】
2019525367.tif 000018
の推定を含むポリシー勾配方法は、次のような目的で使用されることがある。一般ポリシー更新関数は、以下の形式をとることができる。
【数１７】
2019525367.tif 000019
ここで、βｋは学習率の正のシーケンスである。様々なバージョンの行動主体が提案され、主に勾配
【数１８】
2019525367.tif 000020
の近似戦略によって区別される。この例では、行動主体は次のように使用されてもよい。
【数１９】
2019525367.tif 000021
【００５０】
（ＡＣアルゴリズムに基づくＴ１Ｄのグルコース調節）
ＡＣアルゴリズムは、各Ｔ１Ｄ患者のためのインスリン療法を最適化するように設計されている。インスリン療法は、インスリンベーサルレート（ＢＲ）と、インスリン−炭水化物（ＩＣ）比との組み合わせとして定義することができる（図３）。この選択は医療行為と一致するようになされた。しかしながら、他のインスリン療法プロファイルを使用することができる。ＩＣ比は、次の食事として既知の炭水化物（ＣＨＯ）の大きさに応じた、ボーラス投与量（Ibolus）の計算のために、以下の式に従って使用される。
【数２０】
2019525367.tif 000022
【００５１】
評価主体エージェントと行動主体エージェントを設計する前に、アルゴリズムの2つの重要なパラメータ、
i）アルゴリズムの更新レートに対応する学習ウィンドウ、
ii）システムの状態
を定義する必要がある。双方については、次の段落で説明する。
【００５２】
（学習ウィンドウ）
学習ウィンドウは、インスリンプロファイルの更新前にデータ収集のために提供される期間としてここに定義される。この決定に影響を与える考慮事項がいくつかある。学習ウィンドウは、ＣＧＭによって導入されるループ遅延および皮下インスリン吸収に相当することはあり得ない。さらに、速い学習と遅い学習の間のトレードオフを考慮する必要がある。頻繁な更新は効果的に急速なグルコースダイナミクスに従うかもしれないが、患者の特徴についてのより基本的で一般的な情報を運ぶ「全体像」を見失う。これらを考慮して、この明細書では、最適化ウィンドウが1日（24時間）である例を説明する。「１日」とは、昼夜を問わずに開始することができる２４時間の期間を指し、優先的にはその期間は所与の日の真夜中に開始することができ、そしてこの所与の日の終わりに終了することができる。この期間はもっと長くても短くてもよい。この「1日」の選択では、患者の一般的な血糖状態に関する適切な情報が含まれている人体の24時間サークルも考慮される。結果として、インスリンポリシーは、それぞれの毎日のグルコースプロファイルに基づいて、1日に1回評価され更新される（図3および4）。
【００５３】
（システムの状態）
グルコース調節システムのダイナミクスは、マルコフ決定プロセスとして表され、ここで状態ｘkは、第ｋ日の低血糖および高血糖に関するシステムの状態である。各時間ｔにおけるグルコース誤差ＥＧは、以下のように定義されることができる。
【数２１】
2019525367.tif 000023
ここで、Ｇ（ｔ）は時間ｔにおけるグルコース値であり、そしてGｈ＝１８０ｍｇ／ｄｌ、Ｇｌ＝７０ｍｇ／ｄｌは、それぞれ高血糖と低血糖の限界である。第ｋ日の血糖プロファイルは、その日の高血糖および低血糖状態、より具体的には１日平均低血糖および高血糖誤差に関連する２つの特徴によって説明することができる（図４）。
【数２２】
2019525367.tif 000024
【数２３】
2019525367.tif 000025
ここで、H（・）はヘビサイド関数、Niは、高血糖症（i=1）閾値を超える、または低血糖症（i= 2）閾値を下回る時間サンプル数である。最初に、特徴は[0  1]で正規化される。正規化された特徴は以下の状態を定式化する。
【数２４】
2019525367.tif 000026
【００５４】
（評価主体の設計）
評価主体の数学的定式化は上述した。ＣＧＭはある期間（例えば２４時間）にわたって患者の血糖を測定し、これらの測定はその期間のグルコースプロファイルを定義する。これらのデータの全部または一部は、メモリ装置に記録されていてもよい。第ｋ日の終わりに（一日は期間の一例であることが理解される）、その日のグルコースプロファイルが収集され（メモリ装置から取得されてもよい）、例えば血糖または血糖プロファイルの測定値を考慮に入れることにより状態ｘｋが計算される。この状態に基づいて、以下のように定義されるローカルコストc（ｘｋ）を割り当てることができる（図4）。
【数２５】
2019525367.tif 000027
重みａｈ及びaｌは、低血糖成分および高血糖成分をスケーリングするために使用される。ａｈ及びaｌは0から50の間、例えばah＝1とaｌ=10で構成される。アクション値関数は、式（１２）のように線形近似される。基底関数φ（・）は、後のフェーズで導出されることになる制御ポリシーの尤度比導関数（ＬＲＤ）に等しく設定されてもよい。評価主体の更新のために、定数γおよびλは、それぞれ０から１の間からなることができ、優先的にはすべての患者に対してγ＝０．９およびλ＝０．５である。評価主体の学習率は、０から１の間に含まれ、優先的にはすべての患者に対してαｋｃ＝０．５である。これらの値は実験的に見出された。初期パラメータｒ０は［−１  １］内のランダムな値に設定され、初期パラメータｚ０はすべての患者に対してゼロ値に設定される。
【００５５】
（行動主体の設計）
行動主体は、初期のＢＲ（ＩＣ比）値から出発して毎日のＢＲおよびＩＣ比を最適化するために、二重の確率論的な制御ポリシーμ(uｋ│xｋ、θｋ)を実行する（図４）。現在のインスリン療法の絶対レベルからアクションを解離させるために、制御アクションuｋは、第（ｋ−１）日から第ｋ日までのＢＲ（ＩＣ比）の変化率として定義することができる。この選択の利点は後で明らかにされる。したがって、ＢＲ（ＩＣ比）は以下のように更新されてもよい。
【００５６】
【数２６】
2019525367.tif 000028
【数２７】
2019525367.tif 000029
ここで、S= {BR、IC}、Ｓｋは第k日の制御ポリシーであり、PｋSは制御アクション、すなわち、第（ｋ−１）日から第ｋ日までの変化率Ｓｋである。最後に適用された制御アクションPｋSは、現在の状態ｘｋ及びポリシーパラメータベクトルθｋSに基づいて、制御ポリシーの確率分布μ(uｋS│xｋS、θｋS)から撤回される。優先的には、確率分布の設計では、3つの異なるタイプの制御アクションの生成に基づいて、以下の3段階のプロセスが続く。
i）線形決定論
ii）監督および
iii）探索的アクション。
【００５７】
しかしながら、確率分布の設計のために、これらのタイプの制御アクションのうちの１つまたは２つのみが使用され得る。以下では、わかりやすくするために、符号ｋおよびＳを省略する。この手順は、BRとIC比についても同じである。
【００５８】
（線形決定論的制御アクション）
線形決定論的制御アクションＰａは、現在の状態とポリシーパラメータベクトルの線形結合として定義される。
【数２８】
2019525367.tif 000030
言い換えれば、この制御アクションは、毎日の低血糖および高血糖の状態を、翌日に必要なBR（IC比）の変化に関連付ける。
【００５９】
（監視制御アクション）
監視制御アクションＰｓは、アルゴリズムに対する控えめなルールベースのアドバイスであり、主に従うべき変化の方向のガイダンスとして、およびアルゴリズムによる極端なインスリン変化に対する安全モジュールとしての役割を果たす。監督アクションは次のように定義される。
【数２９】
2019525367.tif 000031
上の記号はBR、下の記号はIC比を表する。
【００６０】
優先的には、２つの前のアクションの加重合計は、総合決定論的制御アクションＰｄを定義することができる。
【数３０】
2019525367.tif 000032
ここで、hは各部分の寄与を最終出力にスケールすることを可能にする係数で、hは0から1の間で構成される。たとえば、この明細書では、重み係数はh= 0.5として選択されているため、2つのアクションに等しい寄与が割り当てられている。
【００６１】
（探索的制御アクション）
以下のように、探索的制御アクションＰｅは、ホワイトノイズを最終決定論的ポリシーに追加することによって発生する。
【数３１】
2019525367.tif 000033
ここで、N（0、σ）は、平均がゼロで標準偏差がσのホワイト・ガウスノイズである。探索プロセスの目的は、パフォーマンスと収束率を最適化するためにアルゴリズムの探索スペースを広げることである。探索プロセスの結果は、適用されるべき最終管理アクションである。
【００６２】
以前の分析に基づいて、これで制御ポリシーμ(u│x、θ)を確率分布として導出する準備ができた。ここから最終的な制御アクションｕ＝Ｐｅは次のように表せる。
【数３２】
2019525367.tif 000034
【００６３】
制御ポリシーは、決定論的アクションPd（x）と標準偏差σに等しい平均を持つガウス確率分布である。最後に、LRDΨθ(x、u)を導出する必要がある。θに関する制御ポリシーの勾配をとると、以下のようになる。
【数３３】
2019525367.tif 000035
【００６４】
式（25、26）から、LRDは次のようになる。
【数３４】
2019525367.tif 000036
【００６５】
行動主体のポリシーパラメータの更新は次のように定義される。
【数３５】
2019525367.tif 000037
【００６６】
式（２８）より、ポリシーパラメータベクトルの更新は、総合決定論的ポリシーと探索的ポリシーとの間の差、すなわちノイズ分散σ２に依存することがわかる。最適な方針が発見されたとき、それは状態xk〜0をもたらすが、発見された解からシステムを遠ざける可能性があるので、探索を減らしたい。この目的のために、分散σ２は状態ｘｋの関数として定義される。
【数３６】
2019525367.tif 000038
【００６７】
状態ｘｋが大きいほど、第ｋ日に低血糖／高血糖に費やされる時間が長くなり、すなわち、より良い制御ポリシーのための探索スペースが大きくなる。定数ＫＳは、０と１の間に含まれてもよく、優先的には０．０５に設定される（試行錯誤プロセスの後）。同じ推論を用いて、行動主体学習率βｋを分散σ２に等しく設定することができる。このように、ＡＣアルゴリズムは、各患者のグルコース調節システムにおける一時的または恒久的な変化を補償するために、常時学習であり得る。
【００６８】
（ACアルゴリズムの個別調整）
前のセクションで説明したように、ＡＣアルゴリズムの設計は調整する必要がある様々なパラメータを含む（図５）。患者のばらつきを考慮して、いくつかのパラメータについては個別の調整が必要になるかもしれない。各患者のために手動で調整することは実行不可能であるか、または患者の安全性を危うくする可能性があるので、自動方法を探す必要がある。
【００６９】
予備シミュレーションに基づき、そして異なる調整形の下で、ＡＣパラメータは、強固（Ｒ）または敏感（Ｓ）として、最初に２つのクラスに分割されてもよい。
・Ｒクラスに含まれるパラメータは、患者バラツキに対する低い感受性と関連し、そして前のセクションで与えられたすべての患者に共通の値で、経験的な方法によって手動で調整されうる。
・Sクラスには、患者固有の特性に敏感であることが判明したパラメータが含まれていた。このクラスで識別されるパラメータは、BRとIC比の初期値と行動主体の初期ポリシーパラメータベクトルθ0である。最初の2つのパラメータについては、インスリン要求量は当然別々の糖尿病患者間では異なるため、ユニバーサル調整は不可能である。ポリシーパラメータベクトルθが患者固有の特性と密接に関連している可能性があり、その初期調整がアルゴリズムのパフォーマンスと収束率の両方に影響を与えることが示される。したがって、Ｓクラスパラメータについては、自動個別調整手順に従うことができる。表1に、ACアルゴリズムのパラメータの例とその説明、値、および調整クラスをまとめている。
【００７０】
【表１】
2019525367.tif 000039
【００７１】
（BRとICの比率の初期化）
安全性を保証するために、BRとICの比率の初期値は各患者に固有で適切であるべきである。糖尿病の治療における臨床経験により、体重、SIおよび生活習慣の要因に基づいて、CSIIポンプ療法下の患者のBRプロファイルおよびIC比を推定するための多数の経験則が開発された。これらの規則は、最適ではないかもしれないが最初のグルコース調節を確実にする開ループインスリン療法を提供する。したがって、臨床診療に適用されるとき、ＡＣアルゴリズムのＢＲおよびＩＣ比は、彼／彼女の医師によって最適化された患者の個々の値を使用して初期化することができる（図５）。この実施は、CSIIからAPへの患者の移行が、彼／彼女自身および医師の両方にとってより円滑になり得るというさらなる利点を有する。
【００７２】
（ポリシーパラメータベクトルθの初期化）
ポリシーパラメータベクトルθの初期化は、設計されたインスリン注入制御アルゴリズム内のその自然表現の調査に基づいてもよい（図５）。ポリシーパラメータベクトルθの最適値は、次の質問に答える。
「観察された毎日の高／低血糖に基づいてＢＲとＩＣの比率をどれだけ変えるべきか？」
その答えは患者のSIに関連している可能性があり、彼／彼女の肥満度指数（BMI）、1日の総インスリン（TDI）のニーズ、ライフスタイルおよび遺伝的要因に左右される。
【００７３】
ＳＩの推定は現在、クランプまたは静脈内グルコース耐性試験を使用して臨床環境において行われており、これは時間がかかりかつ費用がかかる。近年、ＣＧＭおよびインスリンポンプデータを使用し、糖尿病生理学的モデルの逆解法に基づいて、ＡＰアルゴリズムに組み込まれるべきＳＩのオンライン推定を達成するための努力がなされてきた。
【００７４】
実際には、この情報には簡単にアクセスできるため、SIは患者のTDIに直接関係していることが多い。しかしながら、同じTDIとBMIを持つ2人の患者でさえ、1Uのインスリンの影響は異なりうる。この研究では、インスリンからグルコース信号へのITを通してこの違いを捉える。インスリンからグルコースへのＩＴは、移行エントロピー（ＴＥ）の概念、非線形ランダムプロセスにおけるＩＴの推定のための非常に強力な方法を使用して測定され得る。TEは、原因信号Y（インスリン）から影響信号X（グルコース）までのITを推定する。この値は、２つのシグナルの大きさ、すなわちインスリンの量およびグルコースの密接度とは無関係である。同じＴＥを有する２人の患者について、より高いＴＤＩはより低いＳＩに対応する。同様に、２人の患者が同じＴＤＩを有する場合、より高いＴＥはより低いＳＩに変換され得る。この推論に続いて、患者のＳＩについての情報は以下のように推定され得る。
【００７５】
【数３７】
2019525367.tif 000040
ここで、c１は正の定数である。SIの定義を付与されると、患者が自分の血糖値をΔGまで下げたい場合、必要なインスリン量は次のようになる。
【数３８】
2019525367.tif 000041
【００７６】
【数３９】
2019525367.tif 000042
を式（30）の推定値で置き換えると、以下の式が得られる。
【００７７】
【数４０】
2019525367.tif 000043
ただし、ｃ＝１／ｃ１である。
【００７８】
ＡＣアルゴリズムの場合、その目的は、毎日の低血糖症および高血糖症を回避するために、ＢＲおよびＩＣ比の最適な変化を見出すことである。これは式（32）と平行していると見なすことができる。
【数４１】
2019525367.tif 000044
ここでｘｉは、高血糖症（ｉ＝１）または低血糖症（ｉ＝２）の特徴、すなわち（２９ａ、ｂ）で定義されるような１日の平均低血糖／高血糖誤差であり、ΔＳｉはそれぞれの特徴に基づくＢＲまたはＩＣ比の変化である。ｃ’は正の定数である。TDIが日々のBRとICの比率に直接反映されていることを考えると、式（33）は次のように書き換えることができる。
【数４２】
2019525367.tif 000045
【００７９】
ここで、θｉ＝ｃ’／ＴＥ’とすると、式（34）は、次のようになる。
【数４３】
2019525367.tif 000046
そして、低血糖と高血糖の両方の特徴に基づくBRまたはIC比の総変化は、それぞれの寄与の線形結合である。
【数４４】
2019525367.tif 000047
【００８０】
ここで、θ＝［θ１θ２］Ｔと、ｘ＝［ｘ１ｘ２］Ｔが、特徴ベクトルである。Ｐｓ＝θＴｘであるとき、式（３５）は、次のようになる。
【数４５】
2019525367.tif 000048
【００８１】
ここで、ＰＳはＳの変化のパーセンテージであり、先の式（33）で定義されたAC決定論的制御アクションを表す。
【００８２】
前述の分析は、インスリンに対するグルコースのＩＴを用いて、かつより面倒なプロセスであるＳＩを推定する必要なしに、インスリンの変化率として制御アクションを定義することがＡＣの調整を可能にすることを示している。分析はおおよそのものである可能性があり、（唯一）必要なBRまたはICの更新の見積案として使用される可能性がある。ただし、その範囲は、最適化プロセスを強化するためにACのより良い出発点を提供することである。患者ｐに対するポリシーパラメータベクトルの初期値は、次のように設定されてもよい。
【数４６】
2019525367.tif 000049
ここで、ＷｈおよびＷｌは、高血糖および低血糖の特徴に関連する重みであり、−１から１の間に含まれてもよく、優先的にはすべての患者に対して、Ｗｈ＝０．１、Ｗｌ＝−０．２である。また、低血糖を避けることがより高い優先順位であるので、より高い値が低血糖重みに割り当てられる。
【００８３】
（インスリンからグルコースへのTEの推定）
インスリンからグルコースへのＴＥは、各患者から収集された（例えば）４日間のＣＧＭおよびインスリンポンプデータに基づいて推定することができる。適切なデータサイズを選択するために、異なる期間のデータセットが使用され、それぞれのＴＥ値間の相関が連続するデータ長について計算された。４日以上のデータが高度に相関したＴＥ値（＞９９％）を与えることが観察された。
【００８４】
ＴＥの推定値は、以下の式に基づいてもよい。
【数４７】
2019525367.tif 000050
ここで、Ｇｔ，ＩＡｔは、時間ｔにおけるグルコースおよび活性インスリンであり、ｄは、即効型インスリン類似体の平均生理学的インスリン吸収遅延に従って、ここではｄ＝２０分として設定されたインスリン時間遅延である。活性インスリンは、ボーラス投与量およびベーサルインスリン注入量に関連するオンボード（ＩＯＢ）のインスリンの合計として推定することができる。
【数４８】
2019525367.tif 000051
【００８５】
確率分布の推定には、時系列を等しいサイズの容器に分割し、確率分布をヒストグラムとして近似する、固定データ分割方法を使用することができる。グルコースおよびインスリン用の仕切り容器のサイズは、それぞれＧｂｉｎ＝１０ｍｇ/ｄｌ、ＩＡｂｉｎ＝１Ｕであり得る。
【００８６】
（本発明の一般概念）
上記の一態様によれば、本発明は、以下の項目のうちの１つに基づいて患者に適応させる、インスリン注入率（ベーサル）およびインスリン対炭水化物比（ボーラス投与量＝今後の食事に含まれる炭水化物×インスリン対炭水化物比）の少なくとも一方を含むインスリン療法を推定する方法を提供する。
・AC学習を使用する適応コントローラ、
・過去24時間のグルコース／インスリンプロファイルを使用して、1日1回評価され（評価主体）および更新（行動主体）されるインスリンコントロールポリシー、
・その日の高血糖および低血糖の状態に関連する２つの特徴によって、より具体的には１日の平均低血糖および／または高血糖の誤差によって示されるグルコース調節システムの状態、
・優先的に時差学習を使用して、グルコース規制システムの状態および対応する割り当てられたローカルコストの計算に基づいて、毎日の終わりにおける制御ポリシー（評価主体）の評価、そして、
・制御ポリシー（行動主体）の更新、最初の期間（この例では一日）から次の期間への、以下の１、２または３の異なるタイプの制御アクションの効果に基づくインスリン変化率、
１）    毎日の低血糖および高血糖状態を翌日に必要なベーサルレートおよびインスリン対炭水化物比の変化の割合に関連付ける決定論的アクション、
２）    制御ポリシーの控えめな提案に対応し、システムに対する安全性およびガイダンスとしての役割を果たす監督的アクション、そして、
３）    システムの状態の探索スペースを広げ、より速くより良い収束をサポートする探索的アクション、
・行動主体の範囲は、システムの状態あたりの平均予想コストを最小限に抑えること（管理方針の最適化）。
【００８７】
この方法は、以下の２つの段階を含む。
・方法が初期化される初期化段階、
・適応方法が患者から学習する学習段階（患者固有の管理方針）。
【００８８】
好ましくは、学習段階は連続的であり、初期化段階の後の各期間に実行される。
【００８９】
行動主体の初期ベーサルインスリンレート、初期インスリン対炭水化物比、および／またはポリシーパラメータベクトルは、患者特有のものであり得る。
【００９０】
ＡＣのベーサルインスリンレートおよびインスリン対炭水化物比は、彼／彼女の医師および／またはコンピュータシミュレータによって最適化されるように、患者の個々の値を使用して初期化されてもよい。
【００９１】
ＡＣコントローラのポリシーパラメータベクトルは、各患者から収集した短期間（たとえば４日間）のグルコースおよびインスリンポンプデータに基づいて推定された、インスリンからグルコースへの移行エントロピーを使用して初期化することができる。
【００９２】
インスリンはインスリン類似体であり得る。
【００９３】
この方法は、インスリンを患者に配給する前／最中／後に実施することができる。
【００９４】
この方法は、グルコースモニタおよびインスリンポンプから無線／有線通信インターフェースのリアルタイムデータを受信することができる。
【００９５】
食事は、告知されないか、または患者によって手動で入力されてもよい。
【００９６】
食事は、他のモバイル／スマートフォンアプリケーションまたはセンサとのインターフェースを介してコントローラに伝えられてもよい。
【００９７】
推定ベーサルレートおよびインスリン対炭水化物比は、直接またはポンプの制御ユニットを介して、インスリンポンプまたはインスリンパッチポンプを制御するために使用され得る。
【００９８】
さらなる態様では、本発明は、推定ベーサルレートおよびインスリン対炭水化物比に関して患者に知らせるための装置を提供する。この装置は、本明細書で上述した方法を実行するように構成されたプロセッサを有する任意の携帯用／移動式装置またはスマートフォンであり得る。
【００９９】
この装置は、最適なインスリン療法について患者に通知し、データをクラウド／サーバまたは他の糖尿病技術関連装置に有線／無線で転送するのに必要なすべてのディスプレイおよびインターフェースを含み得る。
【０１００】
この装置は、他のモバイルアプリケーション（例えば、糖尿病電子ログブック、フィットネス／フードアプリなど）とのインターフェースを含み得る。
【０１０１】
この装置は、最適なインスリン療法について患者に通知し、データをクラウド／サーバまたは他の糖尿病技術関連装置に有線／無線で転送するのに必要なすべてのディスプレイおよびインターフェースを含み得る。
【図１】
2019525367.tif 000052
【図２】
2019525367.tif 000053
【図３】
2019525367.tif 000054
【図４】
2019525367.tif 000055
【図５】
2019525367.tif 000056
【国際調査報告】
2019525367.tif 000057
2019525367.tif 000058
2019525367.tif 000059